(57)【要約】      （修正有）【課題】フィードバック信号の発生ソースは圧電変圧器の一次側電流状態に直列接続するため、圧電変圧器の共振周波数を確実に反映させることができ、干渉を受けることはない。また、フィードバック信号の発生ソースは圧電変圧器の一次側に直列接続し、一次側は比較的低い電圧回路に属するため、高電圧の安全対策問題を排除することができる。【解決手段】圧電変圧器２は一次側及び二次側を設け、イオン放射針６は該圧電変圧器の二次側に接続し、フィードバック信号発生回路３は圧電変圧器の一次側に直列接続し、制御回路４とフィードバック信号発生回路は相互に連接し、駆動回路５と圧電変圧器の一次側及び制御回路は相互に連接し、圧電変圧器の一次側電流状態をフィードバック信号発生回路にフィードバックすることにより、圧電変圧器の共振周波数に反応し、フィードバック信号を利用し入力制御回路にフィードバックし、圧電変圧器一次側の入力電圧を駆動する。【選択図】図３
0003140655.tif 000002
【実用新案登録請求の範囲】
【請求項１】
静電除去器は圧電変圧器、イオン放射針、フィードバック信号発生回路、制御回路、駆動回路を含み、
前記圧電変圧器は一次側及び二次側を設置し、
前記イオン放射針は該圧電変圧器の二次側に接続し、
前記フィードバック信号発生回路は該圧電変圧器の一次側に直列接続し、
前記制御回路と該フィードバック信号発生回路は相互に連接し、
前記駆動回路と前記制御回路は相互に連接し、また、前記駆動回路と前記圧電変圧器の一次側は相互に連接することを特徴とする静電除去器。
【請求項２】
前記フィードバック信号発生回路はキャパシターであることを特徴とする請求項１記載の静電除去器。
【請求項３】
前記フィードバック信号発生回路はキャパシター並列ダイオードであることを特徴とする請求項１記載の静電除去器。
【請求項４】
前記キャパシターはインダクタンス或いは電気抵抗で代用可能であることを特徴とする請求項２記載の静電除去器。
【請求項５】
静電除去器は圧電変圧器、イオン放射針、フィードバック信号発生回路、制御回路、駆動回路、調整回路を含み、
前記圧電変圧器は一次側及び二次側を設置し、
前記イオン放射針は該圧電変圧器の二次側に接続し、
前記フィードバック信号発生回路は該圧電変圧器の一次側に直列接続し、
前記制御回路とフィードバック信号発生回路は相互に連接し、
前記駆動回路と制御回路は相互に連接し、また、前記駆動回路と圧電変圧器の一次側は相互に連接し、
前記調整回路は該駆動回路と該フィードバック信号発生回路の回路に直列接続することを特徴とする静電除去器。
【請求項６】
前記フィードバック信号発生回路はキャパシターであることを特徴とする請求項５記載の静電除去器。
【請求項７】
前記フィードバック信号発生回路はキャパシター並列ダイオードであることを特徴とする請求項５記載の静電除去器。
【請求項８】
前記キャパシターはインダクタンス或いは電気抵抗で代用可能であることを特徴とする請求項６記載の静電除去器。
【考案の詳細な説明】
【技術分野】
【０００１】
本考案は静電除去器に関し、特に、圧電変圧器一次側の入力電圧を駆動することにより、一般の静電除去器の圧電変圧器二次側フィードバック信号は空気品質の影響及び外来信号の干渉を受け、フィードバック信号不安定の現象と二次側の高電圧危険を生じ易いという欠点を排除することができる静電除去器に係る。
【背景技術】
【０００２】
図１、２に示すように、特開2001-85191号公報(特願平11-260918号：特許文献１)のイオン発生装置において、該圧電変圧器14は一次側141及び二次側142を設置する。該二次側142は負荷電極15を直列接続し、該負荷電極15とフィードバック電気抵抗16は直列接続する。該フィードバック電気抵抗16は開閉スイッチ19に直列接続し、該開閉スイッチ19は拡大部12に直列接続する。該DC電源11と該拡大部12は相互に連接し、また該拡大部12は駆動部13に直列接続する。該駆動部13と該圧電変圧器14の一次側141は相互に接続し、該フィードバック電気抵抗16と該開閉スイッチ19間には比較検出部17を連接する。該比較検出部17と表示部18は相互に接続し、また該比較検出部17と該表示部18間は該開閉スイッチ19に連接する。
該圧電変圧器14を利用し、一次側141の入力電圧を二次側142に転換し、高電圧を発生する。該二次側142の高電圧を負荷電極15に加えることにより、放電針上にはコロナ放電を発生し、プラス、マイナスイオンを放出し、該イオンを目標物上に移送し、該目標物が帯びる静電気を中和する。
【特許文献１】特開２００１−８５１９１号公報
【考案の開示】
【考案が解決しようとする課題】
【０００３】
しかし、公知構造には以下の欠点があった。
上記回路制御のフィードバック方式は、圧変電圧器二次側の負荷電極により、その電極の対向電極上は放電針電極の対向電極上で、この対向電極上のフィードバック信号により制御信号を発生し、圧電変圧器の一次側を駆動する。この対向電極は放電電極の付近に設置し、感応方式によりフィードバック信号を発生する。
しかし、信号の発生方式が感応方式であるため、空気品質の影響及び外来信号の干渉を受け、フィードバック信号不安定の現象を形成し易く、同時に該二次側の電圧は比較的高い高電圧回路に属するため、対向電極を設置する時、高電圧の安全対策及び設置対策に注意する必要がある。
また、圧電変圧器を駆動し始めたばかりの時には、その二次側が感応することができる信号は微小であるため、感度がより高い部品を使用する必要があり、コストを引き上げている。
本考案が解決しようとする課題は、上記構造の問題点を解決した静電除去器を提供することである。
【課題を解決するための手段】
【０００４】
上記課題を解決するため、本考案は下記の静電除去器を提供する。
静電除去器は圧電変圧器、イオン放射針、フィードバック信号発生回路、制御回路、駆動回路、調整回路を含み、前記圧電変圧器は一次側及び二次側を設置し、前記イオン放射針は該圧電変圧器の二次側に接続し、前記フィードバック信号発生回路は該圧電変圧器の一次側に直列接続し、前記制御回路とフィードバック信号発生回路は相互に連接し、前記駆動回路と制御回路は相互に連接し、また、前記駆動回路と圧電変圧器の一次側は相互に連接し、前記圧電変圧器の一次側電流状態をフィードバック信号発生回路にフィードバックすることにより、圧電変圧器の共振周波数に反応し、このフィードバック信号を利用し入力制御回路にフィードバックし、制御信号を発生し、こうして圧電変圧器一次側の入力電圧を駆動し、一般の静電除去器の圧電変圧器二次側のフィードバック信号が空気品質の影響と外来信号の干渉を受け易いため、フィードバック信号の不安定な現象と二次側の高電圧危険を生じ易いという欠点を排除することができる。
【考案の効果】
【０００５】
上記のように、本考案のフィードバック信号の発生ソースは圧電変圧器の一次側電流状態に直列接続するため、圧電変圧器の共振周波数を確実に反映させることができ、干渉を受けることはない。また、フィードバック信号の発生ソースは圧電変圧器の一次側に直列接続し、一次側は比較的低い電圧回路に属するため、高電圧の安全対策問題を排除することができる。さらに、放電電極の対向電極に感応する必要がないため、別に部品を設置する必要もなく、コストを低下させることができる。加えて、静電気除去装置の体積を大幅に縮小することができるため、設置場所の空間を節減でき、運用の範囲を拡大することができる。
【考案を実施するための最良の形態】
【０００６】
本考案の前記の及び他の技術内容、特徴と機能について、以下、図面を参照して最適の実施例について詳細に説明する。
図３に示すように、本考案の静電除去器の実施例１は、圧電変圧器2、イオン放射針6、フィードバック信号発生回路3、制御回路4、駆動回路5から構成されている。
前記圧電変圧器2は、一次側21及び二次側22を設置する。
前記イオン放射針6は、該圧電変圧器2の二次側22に接続する。
前記フィードバック信号発生回路3は、該圧電変圧器2の一次側21の一端212に直列接続する。
前記制御回路4と該フィードバック信号発生回路3は相互に連接し、しかも該制御回路4と警告出力回路41は相互に連接する。
前記駆動回路5と該制御回路4は相互に連接し、前記駆動回路5と該圧電変圧器2の一次側21の反対端211は相互に連接し、また該電源52は過電流保護回路51を経て電圧を該駆動回路5に供給する。
【０００７】
以上のような構成であるので、前記圧電変圧器2は駆動回路5の特定電圧周波数入力を受信後、該圧電変圧器2の一次側21は逆圧電効果を発生し、電気エネルギーを機械エネルギーに転換し該二次側22に伝送する。該二次側22は正圧電効果を発生し、機械エネルギーを電気エネルギーに転換(圧電材料(前掲特許文献１：圧電トランス)を用いて電気エネルギーにより機械的な振動を発生させ、更に、圧電効果により出力部に高電圧を発生させる。)後、二次側22は高電圧出力を発生する。
前記イオン放射針6は二次側22の高圧電を受信し、コロナ放電により空気中においてイオン61を発生し、高周波数の電場によりイオンを推動する。こうして空気中においてより多くのプラス、マイナスイオンに衝突させ、プラス、マイナスイオンを静電気を帯びた対象に伝送後、目標物が帯びる静電気を中和する。
該フィードバック信号発生回路3と該圧電変圧器2の一次側は直列接続し、こうしてその電流状態に即時反応することができ、圧電変圧器2のその時点での共振周波数を反応し出すことができる。該制御回路4は該フィードバック信号発生回路3のフィードバック信号を受信し、制御信号を発し該駆動回路5を制御する。こうして該駆動回路5は圧電変圧器2の一次側21を駆動し、該圧電変圧器2の作動周波数を修正調整し、その時点で負荷している二次側22の出力パワーと二次側22出力電圧の共振周波数に符合する。
該圧電変圧器2の一次側21の電流状態を該フィードバック信号発生回路3にフィードバックすることにより、圧電変圧器2の共振周波数に反応し、このフィードバック信号を利用し該入力制御回路4にフィードバックする。こうして制御信号を発生し、該圧電変圧器2の一次側21の入力電圧を駆動し、一般の静電除去器の圧電変圧器2の二次側22のフィードバック信号は空気品質の影響と外来信号の干渉を受け易いため、フィードバック信号の不安定な現象と二次側22の高電圧の危険を生じ易いという欠点を排除することができる。
【０００８】
図４、５に示すように、本考案の実施例２、３は該圧電変圧器2の一次側21回路内に調整回路7を設置することができる。該制御回路4により該調整回路7を制御し、こうして圧電変圧器2の一次側21の出力パワーを調整し、圧電変圧器2の二次側22出力パワー及び二次側22出力電圧を調整することもできる。
図６に示すように、本考案の実施例中のフィードバック信号発生回路3はキャパシターC1をフィードバック信号とし、或いは図７に示すように、本考案はまた該キャパシター並列ダイオードＤ1 ，Ｄ2を該ダイオードにより電圧制限の機能を達成することもできる。
またさらに図８に示すように、上記キャパシターC1はインダクタンスL1或いは電気抵抗(図示なし)に代え、或いは、キャパシターと電気抵抗の並列組合せ(図示なし)に代えることもでき、こうして圧電変圧器二次側が受信する負荷特性の差異に応じて、特定フェーズ角度のフィードバック信号を突出させる必要がある目的を達成することができる。
【０００９】
以下に、本考案の実施例と従来の公知技術と比較分析すると、本考案の実施例は以下のうような長所を有する。
公知技術
１．その信号発生方式は感応方式であるため、空気品質の影響或いは外来信号の干渉を受け、フィードバック信号不安定現象を生じ易い。
２．該二次側の電圧は比較的高い高電圧回路に属するため、対象電極を設置する時、高電圧に対する安全対策及び設置対策に注意する必要がある。
３．圧電変圧器の駆動を開始したばかりの時には、その二次側が感応可能な信号は微小であるため、感度がより高い部品を使用する必要があり、製造コストを押上げている。
本考案の長所
１．該フィードバック信号の発生ソースは圧電変圧器の一次側電流状態に直列接続するため、圧電変圧器の共振周波数を確実に反映させることができ、干渉を受けることはない。
２．該フィードバック信号の発生ソースは圧電変圧器の一次側に直列接続し、該一次側は比較的低い電圧回路に属するため、高電圧の安全対策を不要することができる。
３．放電電極の対向電極に感応する必要がないため、別に部品を設置する必要もなく、コストを低下させることができる。さらに静電気除去装置の体積を大幅に縮小することができるため、設置場所の空間を節減でき、運用の範囲を拡大することができる。
【図面の簡単な説明】
【００１０】
【図１】公知技術の回路ブロックチャートである。
【図２】公知技術の実際の回路指示図である。
【図３】本考案の実施例の回路ブロックチャートである。
【図４】本考案の実施例の調整回路を増設する指示図である。
【図５】本考案の実施例の調整回路を増設する別の指示図である。
【図６】本考案の実施例のフィードバック信号発生回路の細部指示図である。
【図７】本考案の実施例のフィードバック信号発生回路の並列ダイオード指示図である。
【図８】本考案の実施例のフィードバック信号発生回路のインダクタンスをキャパシターに代える指示図である。
【符号の説明】
【００１１】
11  DC電源
13  駆動部
141  一次側
15  負荷電極
17  比較検出部
12  拡大部
14  圧電変圧器
142  二次側
16  フィードバック電気抵抗
18  表示部
19  開閉スイッチ
2  圧電変圧器
212  一端
22  二次側
21  一次側
211  反対端
3  フィードバック信号発生回路
4  制御回路
41  警告出力回路
5  駆動回路
52  電源
51  過電流保護回路
6  イオン放射針
61  イオン
7  調整回路
Ｃ1キャパシター
Ｄ1 ,Ｄ2ダイオード
Ｌ1 インダクタンス
【図１】
0003140655.tif 000003
【図２】
0003140655.tif 000004
【図３】
0003140655.tif 000005
【図４】
0003140655.tif 000006
【図５】
0003140655.tif 000007
【図６】
0003140655.tif 000008
【図７】
0003140655.tif 000009
【図８】
0003140655.tif 000010